(57)【特許請求の範囲】
【請求項１】
筒状の柱と梁を仕口部材によって接合してなる柱と梁の接合構造であって、
前記仕口部材は、前記柱と梁の延長上の交差部に配置された直方体状の柱梁接合部材と、
この柱梁接合部材の下端面の各隅部に接合されるボックス状の複数の第１柱接合部材と、
前記柱梁接合部材の少なくとも２つの側面の各隅部に接合されるボックス状の複数の梁接合部材とを備え、
前記柱梁接合部材と前記複数の第１柱接合部材とは、前記柱梁接合部材の下端面の各隅部に鉛直に固定された第１柱連結ボルトを前記第１柱接合部材に挿入してボルトナット接合され、
前記複数の第１柱接合部材と前記柱とは、この柱の上端面の各隅部に鉛直に固定された複数の第２柱連結ボルトを前記複数の第１柱接合部材のそれぞれに挿入してボルトナット接合され、
前記柱梁接合部材と前記複数の梁接合部材とは、前記柱梁接合部材の側面の各隅部に水平に固定された複数の第１梁連結ボルトを前記複数の梁接合部材のそれぞれに挿入してボルトナット接合され、
前記複数の梁接合部材と前記梁とは、この梁の端面の各隅部に水平に固定された複数の第２梁連結ボルトを前記複数の梁接合部材のそれぞれに挿入してボルトナット接合されている
ことを特徴とする柱と梁の接合構造。
【請求項２】
請求項１に記載の柱と梁の接合構造において、
前記梁の上面に床パネルが前記梁接合部材の上面および前記柱梁接合部材の上端面を含んで設置され、
前記柱梁接合部材の上端面の各隅部に鉛直に固定された第３柱連結ボルトが、前記床パネルを貫通したうえで、複数の第２柱接合部材のそれぞれに挿入されてボルトナット接合されることによって、前記複数の第２柱接合部材が前記床パネルの上面に固定され、
前記複数の第２柱接合部材と柱とは、この柱の下端面の各隅部に鉛直に固定された第４柱連結ボルトを前記複数の第２柱接合部材のそれぞれに挿入してボルトナット接合されている
ことを特徴とする柱と梁の接合構造。
【請求項３】
請求項２に記載の柱と梁の接合構造において、
前記柱梁接合部材の端面および側面にはそれぞれねじ孔が形成されており、
前記端面に形成されたねじ孔に前記第１柱連結ボルトおよび第３柱連結ボルトが前記端面から突出するようにしてねじ込まれ、
前記側面に形成されたねじ孔に前記第１梁連結ボルトが前記側面から突出するようにしてねじ込まれている
ことを特徴とする柱と梁の接合構造。
【請求項４】
請求項２または３に記載の柱と梁の接合構造において、
前記筒状の柱は、この柱の断面における四隅にそれぞれ配置された四角形断面の木質の角材と、
前後左右に隣り合う前記角材間に配置されて、これら角材どうしを連結する木質の構造用パネルとを備え、
前記角材の端面が前記構造用パネル端面より前記柱の中央部側に位置しており、
前記角材の端面に前記第１柱接合部材が前記構造用パネルの端面と面一にして取り付けられており、
前記梁は、この梁の断面における四隅にそれぞれ配置された矩形断面の木質の角材と、
上下左右に隣り合う前記角材間に配置されて、これら角材どうしを連結する木質の構造用パネルとを備えた筒状に形成され、
前記角材の端面が前記構造用パネル端面より前記梁の中央部側に位置しており、
前記角材の端面に前記梁接合部材が前記構造用パネルの端面と面一にして取り付けられていることを特徴とする柱と梁の接合構造。
【請求項５】
請求項４に記載の柱と梁の接合構造において、
前記柱の角材にその端面に開口する挿入穴が形成され、この挿入穴に接着剤が充填されたうえで前記第４柱連結ボルトおよび第２柱連結ボルトが前記端面から突出させて挿入固定されており、
前記梁の角材にその端面に開口する挿入穴が形成され、この挿入穴に接着剤が充填されたうえで前記第２梁連結ボルトが前記端面から突出させて挿入固定されていることを特徴とする柱と梁の接合構造。
【請求項６】
請求項４または５に記載の柱と梁の接合構造において、
前記柱の角材の、前記第１柱接合部材および前記第２柱接合部材に接合される端部に、金属製の補強キャップが被され、
前記梁の角材の、前記梁接合部材に接合される端部に、金属製の補強キャップが被されている
ことを特徴とする柱と梁の接合構造。
【発明の詳細な説明】
【技術分野】
【０００１】
本発明は、柱と梁の接合構造に関する。
【背景技術】
【０００２】
在来工法における柱と梁の接合は、例えば木材の接合部を切削加工した凹凸仕口によって行われていたが、近年では、例えば、特許文献１に記載のような接合金物を用いた技術が提案されている。このような技術によれば、木材の接合部を切削加工する手間やコストを省きながら、柱と梁の接合部を強化して耐震強度を向上できるようになっている。
【先行技術文献】
【特許文献】
【０００３】
【特許文献１】特開２００２−０１３１９９号公報
【発明の概要】
【発明が解決しようとする課題】
【０００４】
ところで、例えば接合金物と柱、接合金物と梁とを接合するためのピンをより多く使用して、柱と梁の接合部をより強化したいという要望があるが、ピンが挿入される孔を多数形成したり、多数のピンを打ち込んだりする手間やコストが増加する場合があり、好ましくない。そこで、このように多くのピンを使用せずとも、柱と梁とを容易かつ強固に接合できる技術の開発が望まれていた。
【０００５】
本発明は、柱と梁とを容易かつ強固に接合できる柱と梁の接合部構造を提供することを目的とする。
【課題を解決するための手段】
【０００６】
上記課題を解決するために、請求項１に記載の発明は、例えば、図１〜図３に示すように、
筒状の柱１０Ａと梁２０を仕口部材３０によって接合してなる柱１０Ａと梁２０の接合構造であって、
前記仕口部材３０は、前記柱１０Ａと梁２０の延長上の交差部に配置された直方体状の柱梁接合部材３１と、
この柱梁接合部材３１の下端面の各隅部に接合されるボックス状の複数の第１柱接合部材３２と、
前記柱梁接合部材３１の少なくとも２つの側面の各隅部に接合されるボックス状の複数の梁接合部材３３とを備え、
前記柱梁接合部材３１と前記複数の第１柱接合部材３２とは、前記柱梁接合部材３１の下端面の各隅部に鉛直に固定された第１柱連結ボルト４１を前記第１柱接合部材３２に挿入してボルトナット接合され、
前記複数の第１柱接合部材３２と前記柱１０Ａとは、この柱１０Ａの上端面の各隅部に鉛直に固定された複数の第２柱連結ボルト４２を前記複数の第１柱接合部材３２のそれぞれに挿入してボルトナット接合され、
前記柱梁接合部材３１と前記複数の梁接合部材３３とは、前記柱梁接合部材３１の側面の各隅部に水平に固定された複数の第１梁連結ボルト５１を前記複数の梁接合部材３３のそれぞれに挿入してボルトナット接合され、
前記複数の梁接合部材３３と前記梁２０とは、この梁２０の端面の各隅部に水平に固定された複数の第２梁連結ボルト５２を前記複数の梁接合部材３３のそれぞれに挿入してボルトナット接合されていることを特徴とする。
【０００７】
請求項１に記載の発明によれば、前記柱梁接合部材３１と前記第１柱接合部材３２とは、この柱梁接合部材３１の下端面の各隅部に鉛直に固定された第１柱連結ボルト４１を前記第１柱接合部材３２に挿入してボルトナット接合され、前記複数の第１柱接合部材３２と前記柱１０Ａとは、この柱１０Ａの上端面の各隅部に鉛直に固定された複数の第２柱連結ボルト４２を前記複数の第１柱接合部材３２のそれぞれに挿入してボルトナット接合されているため、前記柱１０Ａを、前記第１柱接合部材３２を介して前記柱梁接合部材３１と接合することができる。
また、前記柱梁接合部材３１と前記複数の梁接合部材３３とは、前記柱梁接合部材３１の側面の各隅部に水平に固定された複数の第１梁連結ボルト５１を前記複数の梁接合部材３３に挿入してボルトナット接合され、前記複数の梁接合部材３３と前記梁２０とは、この梁２０の端面の各隅部に水平に固定された複数の第２梁連結ボルト５２を前記複数の梁接合部材３３のそれぞれに挿入してボルトナット接合されているため、前記梁２０を、前記梁接合部材３３を介して前記柱梁接合部材３１と接合することができる。
このように、前記柱１０Ａと前記梁２０は、それぞれ前記複数の第１柱接合部材３２と前記複数の梁接合部材３３を介して前記柱梁接合部材３１にボルトナット接合されているので、柱１０Ａと梁２０を容易かつ強固に接合することができる。
【０００８】
請求項２に記載の発明は、例えば、図３に示すように、
請求項１に記載の柱１０Ａと梁２０の接合構造において、
前記梁２０の上面に床パネル６０が前記梁接合部材３３の上面および前記柱梁接合部材３１の上端面を含んで設置され、
前記柱梁接合部材３１の上端面の各隅部に鉛直に固定された前記第３柱連結ボルト４３が、前記床パネル６０を貫通したうえで、複数の第２柱接合部材３４のそれぞれに挿入されてボルトナット接合されることによって、前記複数の第２柱接合部材が前記床パネル６０の上面に固定され、
前記複数の第２柱接合部材３４と柱１０Ｂとは、この柱１０Ｂの下端面の各隅部に鉛直に固定された第４柱連結ボルト４４を前記複数の第２柱接合部材３４のそれぞれに挿入してボルトナット接合されていることを特徴とする。
【０００９】
請求項２に記載の発明によれば、前記梁２０の上面に床パネルが前記梁接合部材３３の上面および前記柱梁接合部材３１の上端面を含んで設置され、前記柱梁接合部材３１の上端面の各隅部に鉛直に固定された前記第３柱連結ボルト４３が、前記床パネル６０を貫通したうえで、複数の第２柱接合部材３４のそれぞれに挿入されてボルトナット接合されることによって、前記複数の第２柱接合部材３４が前記床パネル６０の上面に固定され、前記複数の第２柱接合部材３４と前記柱１０Ｂとは、この柱１０Ｂの下端面の各隅部に鉛直に固定された第４柱連結ボルト４４を前記複数の第２柱接合部材３４のそれぞれに挿入してボルトナット接合されているので、前記梁２０の上面に床パネル６０が設置されている一方で、前記柱１０Ｂを、前記床パネル６０および前記複数の第２柱接合部材３４を介して前記柱梁接合部材３１と接合することができるため、前記柱１０Ｂと前記梁２０を、容易かつ強固に接合されることができる。また、床パネル６０を前記柱梁接合部材３１と前記複数の第２柱接合部材３４とで挟むことにより、床パネル６０を強固に固定できる。
【００１０】
請求項３に記載の発明は、例えば、図１〜図３に示すように、
請求項２に記載の柱１０Ａ、１０Ｂと梁２０の接合構造において、
前記柱梁接合部材３１の端面および側面にはそれぞれねじ孔が形成されており、
前記端面に形成されたねじ孔に前記第１柱連結ボルト４１および第３柱連結ボルト４３が前記端面から突出するようにしてねじ込まれ、
前記側面に形成されたねじ孔に前記第１梁連結ボルト５１が前記側面から突出するようにしてねじ込まれていることを特徴とする。
【００１１】
請求項３に記載の発明によれば、前記端面に形成されたねじ孔に前記第１柱連結ボルト４１および第３柱連結ボルト４３が前記端面から突出するようにしてねじ込まれているので、前記第１柱連結ボルト４１および第３柱連結ボルト４３を確実に取付固定できるとともに、前記柱梁接合部材３１に前記第１柱接合部材３２および前記第２柱接合部材３４をボルトナット接合するために適切なボルトの突出長さを調整できる。また、前記側面に形成されたねじ孔に前記第１梁連結ボルト５１が前記側面から突出するようにしてねじ込まれているので、前記第１梁連結ボルト５１を確実に取付固定できるとともに、前記柱梁接合部材３１に前記梁接合部材３３をボルトナット接合するために適切なボルトの突出長さを調整できる。
【００１２】
請求項４に記載の発明は、例えば、図１〜図４に示すように、
請求項２または３に記載の柱１０Ａ、１０Ｂと梁２０の接合構造において、
前記筒状の柱１０Ａ、１０Ｂは、この柱１０Ａ、１０Ｂの断面における四隅にそれぞれ配置された四角形断面の木質の角材１０ａと、
前後左右に隣り合う前記角材１０ａ、１０ａ間に配置されて、これら角材１０ａ、１０ａどうしを連結する木質の構造用パネル１０ｂとを備え、
前記角材１０ａの端面が前記構造用パネル１０ｂ端面より前記柱１０Ａ、１０Ｂの中央部側に位置しており、
前記角材１０ａの端面に前記第１柱接合部材３２が前記構造用パネル１０ｂの端面と面一にして取り付けられており、
前記梁２０は、この梁２０の断面における四隅にそれぞれ配置された矩形断面の木質の角材２０ａと、
上下左右に隣り合う前記角材２０ａ、２０ａ間に配置されて、これら角材２０ａどうしを連結する木質の構造用パネル２０ｂ、２０ｃとを備えた筒状に形成され、
前記角材２０ａの端面が前記構造用パネル２０ｂ、２０ｃ端面より前記梁２０の中央部側に位置しており、
前記角材２０ａの端面に前記梁接合部材が前記構造用パネル２０ｂ、２０ｃの端面と面一にして取り付けられていることを特徴とする。
【００１３】
請求項４に記載の発明によれば、前記筒状の柱１０Ａ、１０Ｂは、この柱１０Ａ、１０Ｂの断面における四隅にそれぞれ配置された四角形断面の木質の角材１０ａと、前後左右に隣り合う前記角材１０ａ、１０ａ間に配置されて、これら角材１０ａ、１０ａどうしを連結する木質の構造用パネル１０ｂとを備えているため、鉄製の柱と比べて軽量な柱を提供することができる。また、前記角材１０ａの端面が前記構造用パネル１０ｂ端面より前記柱１０Ａ、１０Ｂの中央部側に位置し、前記角材１０ａの端面に前記第１柱接合部材３２が前記構造用パネル１０ｂの端面と面一にして取り付けられているため、前記柱梁接合部材３４の端面に前記筒状の柱１０Ａ、１０Ｂを容易に取付けることができ、前記第１柱接合部材３２、３２間で前記構造用パネル１０ｂの端部を挟んでいるため、前記第１柱接合部材３２、３２間の空間をなくし、前記柱梁接合部材３４との接合部の強度を向上することができる。
また、前記梁２０は、この梁２０の断面における四隅にそれぞれ配置された矩形断面の木質の角材２０ａと、上下左右に隣り合う前記角材２０ａ、２０ａ間に配置されて、これら角材２０ａどうしを連結する木質の構造用パネル２０ｂ、２０ｃとを備えた筒状に形成されているため、鉄製の柱と比べて軽量な梁を提供することができる。また、前記角材２０ａの端面が前記構造用パネル２０ｂ、２０ｃ端面より前記梁２０の中央部側に位置し、前記角材２０ａの端面に前記梁接合部材が前記構造用パネル２０ｂ、２０ｃの端面と面一にして取り付けられているため、前記柱梁接合部材３４の側面に前記筒状の梁２０を容易に取付けることができ、前記第１梁柱接合部材３３、３３間で前記構造用パネル２０ｂ、２０ｃの端部を挟んでいるため、前記第１梁柱接合部材３３、３３間の空間をなくし、前記柱梁接合部材３４との接合部の強度を向上することができる。
【００１４】
請求項５に記載の発明は、例えば、図１〜図３に示すように、
請求項４に記載の柱１０Ａと梁２０の接合構造において、
前記柱１０Ａの角材１０ａにその端面に開口する挿入穴が形成され、この挿入穴に接着剤が充填されたうえで前記第４柱連結ボルト４４および第２柱連結ボルト４２が前記端面から突出させて挿入固定されており、
前記梁２０の角材２０ａにその端面に開口する挿入穴が形成され、この挿入穴に接着剤が充填されたうえで前記第２梁連結ボルト５２が前記端面から突出させて挿入固定されていることを特徴とする。
【００１５】
請求項５に記載の発明によれば、前記柱１０Ａの角材１０ａおよび前記梁２０の角材２０ａにその端面に開口する挿入穴が形成され、この挿入穴に接着剤が充填されたうえで前記第４柱連結ボルト４４、第２柱連結ボルト４２および前記第２梁連結ボルト５２が前記端面から突出させて挿入固定されてので、前記連結ボルト４４、４２、５２と前記柱１０Ａおよび前記梁２０が強固に固定され、前記柱１０Ａ、１０Ｂおよび前記梁２０と前記接合部材３２、３３、３４をボルトナット接合で強固に固定することができる。
【００１６】
請求項６に記載の発明は、例えば、図１〜図４に示すように、
請求項４または５に記載の柱１０Ａ、１０Ｂと梁２０の接合構造において、
前記柱１０Ａ、１０Ｂの角材の、前記第１柱接合部材３２および前記第２柱接合部材３４に接合される端部に、金属製の補強キャップ１１が被され、
前記梁２０の角材の、前記梁接合部材３３に接合される端部に、金属製の補強キャップ２１が被されていることを特徴とする。
【００１７】
請求項６に記載の発明によれば、前記柱１０Ａ、１０Ｂ角材および梁２０角材の、前記第１柱接合部材３２および前記第２柱接合部材３４及び前記梁接合部材に接合されるそれぞれの端部に、金属製の補強キャップ１１、２１が被されているので、ボルトナット接合で強く締め付けた際に、前記第１柱接合部材３２および前記第２柱接合部材３４の端部と接合する前記柱１０Ａ、１０Ｂおよび前記梁接合部材３３の端部と接合する梁２０の端部が幅方向に広がるのを防止して、柱と第１柱接合部材３２および前記第２柱接合部材３４を強固に接合することができる。
【発明の効果】
【００１８】
本発明によれば、柱と梁とを容易かつ強固に接合できる柱と梁の接合部構造を提供することができる。
【図面の簡単な説明】
【００１９】
【図１】本発明に係る柱と梁の接合構造の一例を示す図であり、（ａ）は下階の柱と梁の接合部分を示す斜視図であり、（ｂ）は図１（ａ）のＩ−Ｉ断面図である。
【図２】同、（ａ）は下階の柱と梁の接合部分を示す斜視図であり、（ｂ）は図２（ａ）のＩＩ−ＩＩ断面図である。
【図３】同、（ａ）は下階の柱と上階の柱と梁の接合部分を示す斜視図であり、（ｂ）は図３（ａ）のＩＩＩ−ＩＩＩ断面図である。
【図４】本発明に係る柱と梁の接合構造で建築された建物の一例を示す図であり、建物の躯体の部分斜視図である。
【図５】本発明に係る柱と梁の接合構造の他の一例を示す図であり、（ａ）は下階の柱と梁の接合部分を示す斜視図であり、（ｂ）は図５（ａ）のＩ−Ｉ断面図である。
【図６】同、（ａ）は下階の柱と梁の接合部分を示す斜視図であり、（ｂ）は図６（ａ）のＩＩ−ＩＩ断面図である。
【図７】同、（ａ）は下階の柱と上階の柱と梁の接合部分を示す斜視図であり、（ｂ）は図７（ａ）のＩＩＩ−ＩＩＩ断面図である。
【図８】同、建物の躯体の斜視図である。
【図９】同、建物の１階の平面図である。
【図１０】同、建物の２階の平面図である。
【図１１】同、建物の３階の平面図である。
【図１２】同、建物の躯体の正面図である。
【図１３】同、建物の躯体の側面図である。
【図１４】同、柱の角材と柱の角材に被せるキャップの分解斜視図である。
【発明を実施するための形態】
【００２０】
以下、図面を参照して本発明の実施の形態について説明する。
【００２１】
＜第１の実施の形態＞
本実施の形態の柱と梁の接合部構造は、例えば、図１〜図４に示すように、建物１００の下階の柱１０Ａと上階の柱１０Ｂと梁２０を仕口部材３０によって接合してなる下階の柱１０Ａと上階の柱１０Ｂと梁２０の接合構造である。ここで、柱１０Ａと柱１０Ｂと梁２０とはそれぞれ四角形筒状に形成され、各面の構造用パネル１０ｂ、２０ｂ、２０ｃは２枚の構造用パネルが接着剤等で接合されている。また、接合された２枚の構造用パネルの幅が角材１０ａ、２０ａの幅と等しい。
【００２２】
図１〜図３に示す構造用パネル１０ｂ、２０ｂ、２０ｃは、左右一対の縦框とこれら縦框の上下端を接続する横框とにより四角枠状に組まれ、かつ、その内部に十字に補強用芯材が配設されるとともに、枠体の両面にそれぞれ面板が貼り付けられてなる基本構造となっている。また、図３に示す床パネル６０も構造用パネルと同様に、左右一対の縦框とこれら縦框の上下端を接続する横框とにより四角枠状に組まれ、かつ、その内部に十字に補強用芯材が配設されるとともに、枠体の片面に面板が貼り付けられてなる基本構造となっている。
【００２３】
図４に示すように、建物１００は、３階建ての建物である。この建物において、柱と梁との組み合わせは、１本の柱に対して２本の梁が接合される出隅部１０１と、１本の柱に対して３本の梁が接合される壁面部１０２と、１本の柱に対して４本の梁が接合される中央部１０３とがある。図１〜図３に示す図は、中央部１０３の柱と梁の接続構造を示す図である。
【００２４】
ここで、本件発明が適用可能な建物１００としては、仕口部材３０によって結合されている複数の柱と梁から形成された躯体を有する軸組み工法によるものが好適である。
【００２５】
前記仕口部材３０は、前記下階の柱１０Ａと上階の柱１０Ｂと梁２０の延長上の交差部に配置された直方体状の柱梁接合部材３１と、この柱梁接合部材３１の下端面の各隅部に接合されるボックス状の複数の第１柱接合部材３２と、この柱梁接合部材３１の上端面の各隅部に接合されるボックス状の第２柱接合部材３４と、前記柱梁接合部材３１の４つの側面の各隅部に接合されるボックス状の複数の梁接合部材３３とを備える。直方体状の柱梁接合部材３１は、各面の中央部が開口された空洞を有し、軽量化が図られている。柱梁接合部材３１の端面は筒状の柱１０Ａの端面と接合し、柱梁接合部材３１の側面は筒状の梁２０の側面と接合するように形成されている。そして、直方体状の柱梁接合部材３１の各端面および各側面の隅部には、それぞれ４本の連結ボルトが設けられている。柱梁接合部材３１に、第１柱接合部材３２、第２柱接合部材３４、梁接合部材３３の各々は、それぞれ４本の連結ボルトでボルトナット接合されている。
【００２６】
前記柱梁接合部材３１は、前記柱梁接合部材３１の上下の端面および４つの側面にはそれぞれねじ孔が形成されており、任意の面に連結ボルトがねじ込み可能となっている。前記上下の端面に形成されたねじ孔に前記第１柱連結ボルト４１および第３柱連結ボルト４３が前記上下の端面からそれぞれ突出するようにしてねじ込まれている。また、前記側面に形成されたねじ孔に前記第１梁連結ボルト５１が前記側面から突出するようにしてねじ込まれている。図４に示すように、出隅部１０１においては、前記柱梁接合部材３１の隣り合う２つの側面の各隅部に、連結ボルトがねじ込まれ、ボックス状の複数の梁接合部材３３が接合されている。また、平らな壁面部１０２においては、前記柱梁接合部材３１の３つの側面の各隅部に、連結ボルトがねじ込まれ、ボックス状の複数の梁接合部材３３が接合されている。
【００２７】
図１および図２に示すように、第１柱接合部材３２は外形が直方体状で、かつ内部に断面矩形の空洞を有し、対向する一対の側面が開口するボックス状（四角筒状）のものであり、上下に互いに対向する上下端面のそれぞれに第１柱連結ボルト４１と第２柱連結ボルト４２が挿通されるボルト挿通孔が設けられている。そして、このような第１柱接合部材３２は上端面が前記柱梁接合部材３１の下端面に接合され、下端面が前記柱１０Ａの上端面に接合されている。また、第１柱接合部材３２は、その開口を図１において左右または前後に向けて配置され、この開口からナット５３を各連結ボルトに螺合し、締め付けることにより、ボルトナット結合が可能になる。
【００２８】
また、図３に示すように、前記第２柱接合部材３４は外形が直方体状で、かつ内部に断面矩形の空洞を有し、対向する一対の側面が開口するボックス状（四角筒状）のものであり、上下に互いに対向する上下端面のそれぞれに第４柱連結ボルト４４と第３柱連結ボルト４３が挿通されるボルト挿通孔が設けられている。そして、このような第２柱接合部材３４は下端面が床パネル６０の上面に当接され、上端面が前記柱１０Ｂの下端面に接合されている。また、第２柱接合部材３４は、その開口を図３（ａ）において左右または前後に向けて配置され、この開口からナット５３を各連結ボルトに螺合し、締め付けることにより、ボルトナット結合が可能になる。
【００２９】
また、前記梁接合部材３３は外形が直方体状で、かつ内部に断面矩形の空洞を有し、対向する一対の側面が開口するボックス状（四角筒状）のものであり、上下の長さは前記第１柱接合部材３２および第２柱接合部材３４より長くなっており、さらに、左右に互いに対向する２側面のそれぞれに第１梁連結ボルト５１と第２梁連結ボルト５２が挿通されるボルト挿通孔が設けられている。そして、このような梁接合部材３３は開口していない一方の側面が柱梁接合部材３１の側面に接合され、他方の側面が梁２０の端面に接合されている。また梁接合部材３３は、その開口を梁２０の側面側に向けて配置され、この開口からナット５３を各連結ボルトに螺合し、締め付けることにより、ボルトナット結合が可能になる。
【００３０】
なお、本実施の形態では、前記第１柱接合部材３２、第２柱接合部材３４、梁接合部材３３を四角筒状のものとしたが、これに代えて、内部に空洞を有しかつ４つの側面のうち、一つの側面が開口したボックス状のものとしてもよい。
【００３１】
前記柱梁接合部材３１と前記第１柱接合部材３２とは、この柱梁接合部材３１の下端面に鉛直に固定された第１柱連結ボルト４１を前記第１柱接合部材３２の上端面のボルト挿通孔に挿通し、ナットを螺合して締め付けることによって、ボルトナット接合されている。この第１柱接合部材３２と前記柱１０Ａとは、この柱１０Ａの上端面に鉛直に固定された第２柱連結ボルト４２を前記第１柱接合部材３２の下端面のボルト挿通孔に挿通し、ナットを螺合して締め付けることによってボルトナット接合されている。
【００３２】
前記柱梁接合部材３１と前記梁接合部材３３とは、前記柱梁接合部材３１の側面に水平に固定された第１梁連結ボルト５１を前記梁接合部材３３の一方の側面のボルト挿通孔に挿通し、ナットを螺合して締め付けることによってボルトナット接合されている。この梁接合部材３３と前記梁２０とは、この梁２０の端面に水平に固定された第２梁連結ボルト５２を前記梁接合部材３３の他方の側面のボルト挿通孔に挿通し、ナットを螺合して締め付けることによってボルトナット接合されている。
【００３３】
図３に示すように、前記梁２０の上面に床パネル６０が前記梁接合部材３３の上面および前記柱梁接合部材３１の上端面を含んで設置され、前記柱梁接合部材３１の上端面に固定された前記第３柱連結ボルト４３が、前記床パネル６０を貫通したうえで、前記第２柱接合部材３４の下端面のボルト挿通孔に挿通され、ナットを螺合して締め付けることによってボルトナット接合され、これによって、前記床パネル６０の上面に第２柱接合部材３４が固定されている。
前記第２柱接合部材３４と前記柱１０Ｂとは、この柱１０Ｂの下端面に鉛直に固定された第４柱連結ボルト４４を前記第２柱接合部材３４の上端面のボルト挿通孔に挿通し、ナットを螺合して締め付けることによってボルトナット接合されている。
【００３４】
前記筒状の柱１０Ａ、１０Ｂは、この柱１０Ａ、１０Ｂの断面における四隅にそれぞれ配置された四角形断面の木質の角材１０ａと、前後左右に隣り合う前記角材１０ａ、１０ａ間に配置されて、これら角材１０ａ、１０ａどうしを連結する８枚の木質の構造用パネル１０ｂとを備えている。また、前記角材１０ａの端面が前記構造用パネル１０ｂの端面より前記柱１０Ａ、１０Ｂの中央部側に位置しており、前記角材１０ａの端面に前記第１柱接合部材３２が前記構造用パネル１０ｂの端面と面一にして取り付けられている。
前記梁２０は、筒状に形成され、この梁２０の断面における四隅にそれぞれ配置された矩形断面の木質の角材２０ａと、上下左右に隣り合う前記角材２０ａ、２０ａ間に配置されて、これら角材２０ａどうしを連結する８枚の木質の構造用パネル２０ｂ、２０ｃとを備えている。また、前記角材２０ａの端面が前記構造用パネル２０ｂ、２０ｃ端面より前記梁２０の中央部側に位置しており、前記角材２０ａの端面に前記梁接合部材が前記構造用パネル２０ｂ、２０ｃの端面と面一にして取り付けられている。
前記柱１０Ａ、１０Ｂの角材１０ａの、前記第１柱接合部材３２および前記第２柱接合部材３４に接合される端部に、金属製の補強キャップ１１が被され、前記梁２０の角材２０ａの、前記梁接合部材３３に接合される端部に、金属製の補強キャップ２１が被されている。
【００３５】
具体的には、図１４に示すように、前記柱１０Ａ、１０Ｂの角材１０ａの端部には、この柱１０Ａ、１０Ｂの角材１０ａの端面および外周面を覆う補強キャップ１１、２１として、座金３８が設けられている。また、梁２０の角材２０ａとなる建築構造材にも座金３８が設けられることが望ましい。つまり、座金３８は、柱１０Ａ、１０Ｂ等の端部の保護や緩み防止の機能を発揮するので、直立する柱１０Ａ、１０Ｂと、直立する柱１０Ａ、１０Ａ間に架設される梁２０の安定的な取付状態を維持できることとなる。
なお、本実施の形態においては、柱１０Ａ、１０Ｂの角材１０ａとなる建築構造材だけでなく、その他の建築構造材を構成する梁２０の角材２０ａの端部にも座金３８が設けられている。
【００３６】
柱１０Ａ、１０Ｂの角材１０ａの外周部には環状部３８ｂが装着される装着面１０ｅが形成されている。装着面１０ｅは柱１０Ａ、１０Ｂの角材１０ａの外周部を周方向に沿って所定の幅で所定の深さだけ削って形成されたものであり、柱１０Ａ、１０Ｂの角材１０ａの外周面（側面）との間に所定の段差を有している。
【００３７】
前記座金３８は、柱１０Ａ、１０Ｂの角材１０ａの上端部および下端部に取り付けられるものであり、平板部３８ａと環状部３８ｂとを備えて構成されている。
平板部３８ａは正方形板状のものであり、柱１０Ａ、１０Ｂの角材１０ａの端面と略等しい大きさに形成されている。また、平板部３８ａの中央部には、第２柱連結ボルト４２、第４柱連結ボルト４４の直径と略等しい内径のボルト挿通孔３９が形成されている。さらに、平板部３８ａにはボルト挿通孔３９を挟んでビス穴４０，４０が平板部３８ａの対角方向に離間して形成されている。
環状部３８ｂは平板部３８ａの外周部に沿って正方形環状に、かつ、平板部３８ａに対して直角に形成されている。また、環状部３８ｂの高さは前記装着面１０ｅの幅と略等しくなっており、環状部３８ｂの厚さは、装着面１０ｅと柱１０Ａ、１０Ｂの角材１０ａの外周面との間の段差と略等しくなっている。
さらに、座金３８の４つの角部には、角穴３８ｃがそれぞれ形成されている。
【００３８】
このように構成された座金３８は、平板部３８ａの裏面を柱１０Ａ、１０Ｂの角材１０ａの端面に当接するともに、ボルト挿通孔３９に前記第２柱連結ボルト４２、第４柱連結ボルト４４をそれぞれ挿通し、さらに、環状部３８ｂを柱１０Ａ、１０Ｂの角材１０ａの外周部の装着面１０ｅに外嵌して取り付けられている。この状態において、ボルト挿通孔３９と第２柱連結ボルト４２、第４柱連結ボルト４４とは同軸に配置され、かつ、第２柱連結ボルト４２、第４柱連結ボルト４４の先端部は座金３８の平板部３８ａより所定の長さだけ突出している。また、平板部３８ａに形成されたビス穴４０，４０にはビス４０ａ，４０ａが挿通され、柱１０Ａ、１０Ｂの角材１０ａの端面にねじ込まれている。これによって、座金３８は柱１０Ａ、１０Ｂの角材１０ａの端部に強固に固定されている。さらに、座金３８の角穴３８ｃに、柱１０Ａ、１０Ｂの角材１０ａの端面の４つの角部が露出しており、これによって、柱１０Ａ、１０Ｂの角材１０ａの端面を座金３８の平板部３８ａの裏面に確実に当接させるとともに、柱１０Ａ、１０Ｂの角材１０ａの下端面の４つの角部の潰れを防止している。
【００３９】
また、前記柱１０Ａ、１０Ｂの角材１０ａにその端面に開口する挿入穴が形成され、この挿入穴に接着剤が充填されたうえで前記第４柱連結ボルト４４および第２柱連結ボルト４２が前記端面から突出させて挿入固定されており、前記梁２０にその端面に開口する挿入穴が形成され、この挿入穴に接着剤が充填されたうえで前記第２梁連結ボルト５２が前記端面から突出させて挿入固定されている。
【００４０】
上記のような本発明に係る柱と梁の接合構造は、例えば、以下のようにして施工する。すなわちまず、工場等において、柱１０Ａ、１０Ｂの角材１０ａの端部に補強キャップ１１、１１を被せるとともに、柱１０Ａの角材１０ａの上端面に補強キャップ１１を挟んで第１柱接合部材３２を接合し、また柱１０Ｂの角材１０ａの下端面に補強キャップ１１を挟んで第２柱接合部材３４を接合する。
また、梁２０の角材２０ａの端部に補強キャップ２１を被せるとともに梁２０の角材２０ａの端面に補強キャップ２１を挟んで梁接合部材３３を接合する。
【００４１】
そして、現場では、柱梁接合部材３１に第１柱連結ボルト４１、第３柱連結ボルト４３、第１梁連結ボルト５１をねじ込んで固定する。
次に、第１柱連結ボルト４１を前記第１柱接合部材３２の上端面のボルト挿通孔に挿通し、ナットを螺合して締め付けてボルトナット接合することによって、柱１０Ａと柱梁接合部材３１とを接合する。
また、第１梁連結ボルト５１を前記梁接合部材３３の一方の側面のボルト挿通孔に挿通し、ナットを螺合して締め付けてボルトナット接合することによって、梁２０と柱梁接合部材３１とを接合する。
また、前記梁２０の上面、前記梁接合部材３３の上面および前記柱梁接合部材３１の上端面に床パネル６０を設置する。前記柱梁接合部材３１の上端面に固定された前記第３柱連結ボルト４３が、前記床パネル６０を貫通したうえで、前記第２柱接合部材３４の下端面のボルト挿通孔を挿通し、前記第３柱連結ボルト４３にナットを螺合して締め付けることによってボルトナット接合し、これによって、前記床パネル６０の上面に第２柱接合部材３４を固定する。
上記のように施工することで、現場ではボルトナット接合だけで、柱１０Ａ、１０Ｂと梁２０を接合することにより、建物１００の躯体を施工でき、現場での作業効率を向上できる。
【００４２】
なお、現場にて、柱梁接合部材３１の各隅部の下端面に第１柱接合部材３２の上端面をボルトナット接合し、その後、柱１０Ａの角材１０ａの上端面と第１柱接合部材３２の下端面とをボルトナット接合してもよい。また、床パネル６０の上端面に第２柱接合部材３４をボルトナット接合し、その後、柱１０Ｂの角材１０ａと第２柱接合部材３４とをボルトナット接合してもよい。また、柱梁接合部材３１の側面に梁接合部材３３をボルトナット接合し、その後、梁２０の角材２０ａと梁接合部材３３とをボルトナット接合してもよい。
また、現場にて、柱１０Ａの角材１０ａの上端面と第１柱接合部材３２下端面とをボルトナット接合し、その後、柱梁接合部材３１の下端面に第１柱接合部材３２の上端面をボルトナット接合してもよい。また、柱１０Ｂの角材１０ａの下端面と第２柱接合部材３４の上端面とをボルトナット接合し、その後、床パネル６０の上端面に第２柱接合部材３４の下端面をボルトナット接合してもよい。また、梁２０の角材２０ａと梁接合部材３３とをボルトナット接合し、その後、柱梁接合部材３１に梁接合部材３３をボルトナット接合してもよい。
上記のように施工した場合でも、現場ではボルトナット接合だけで、柱１０Ａ、１０Ｂと梁２０を接合することにより、建物１００の躯体を施工でき、現場での作業効率を向上できる。
【００４３】
本実施の形態によれば、前記柱梁接合部材３１と前記第１柱接合部材３２とは、この柱梁接合部材３１の下端面の各隅部に鉛直に固定された第１柱連結ボルト４１を前記第１柱接合部材３２に挿入してボルトナット接合され、前記複数の第１柱接合部材３２と前記柱１０Ａとは、この柱１０Ａの上端面の各隅部に鉛直に固定された複数の第２柱連結ボルト４２を前記複数の第１柱接合部材３２のそれぞれに挿入してボルトナット接合されているため、前記柱１０Ａを、前記第１柱接合部材３２を介して前記柱梁接合部材３１と接合することができる。
また、前記柱梁接合部材３１と前記複数の梁接合部材３３とは、前記柱梁接合部材３１の側面の各隅部に水平に固定された複数の第１梁連結ボルト５１を前記複数の梁接合部材３３に挿入してボルトナット接合され、前記複数の梁接合部材３３と前記梁２０とは、この梁２０の端面の各隅部に水平に固定された複数の第２梁連結ボルト５２を前記複数の梁接合部材３３のそれぞれに挿入してボルトナット接合されているため、前記梁２０を、前記梁接合部材３３を介して前記柱梁接合部材３１と接合することができる。
このように、前記柱１０Ａと前記梁２０は、それぞれ前記第１柱接合部材３２と前記梁接合部材３３を介して前記柱梁接合部材３１にボルトナット接合されているので、柱１０Ａと梁２０を容易かつ強固に接合することができる。
【００４４】
また、前記梁２０の上面に床パネルが前記梁接合部材３３の上面および前記柱梁接合部材３１の上端面を含んで設置され、前記柱梁接合部材３１の上端面の各隅部に鉛直に固定された前記第３柱連結ボルト４３が、前記床パネル６０を貫通したうえで、複数の第２柱接合部材３４のそれぞれに挿入されてボルトナット接合されることによって、前記複数の第２柱接合部材３４が前記床パネル６０の上面に固定され、前記複数の第２柱接合部材３４と前記柱１０Ｂとは、この柱１０Ｂの下端面の各隅部に鉛直に固定された第４柱連結ボルト４４を前記複数の第２柱接合部材３４のそれぞれに挿入してボルトナット接合されているので、前記梁２０の上面に床パネル６０が設置されている一方で、前記柱１０Ｂを、前記床パネル６０および前記複数の第２柱接合部材３４を介して前記柱梁接合部材３１と接合することができるため、前記柱１０Ｂと前記梁２０を、容易かつ強固に接合されることができる。また、床パネル６０を前記柱梁接合部材３１と前記複数の第２柱接合部材３４とで挟むことにより、床パネル６０を強固に固定できる。
【００４５】
また、前記端面に形成されたねじ孔に前記第１柱連結ボルト４１および第３柱連結ボルト４３が前記端面から突出するようにしてねじ込まれているので、前記第１柱連結ボルト４１および第３柱連結ボルト４３を確実に取付固定できるとともに、前記柱梁接合部材３１に前記前記第１柱接合部材３２および前記第２柱接合部材３４をボルトナット接合するために適切なボルトの突出長さを調整できる。また、前記側面に形成されたねじ孔に前記第１梁連結ボルト５１が前記側面から突出するようにしてねじ込まれているので、前記柱梁接合部材３１に前記梁接合部材３３をボルトナット接合するために適切なボルトの突出長さを調整できる。
【００４６】
また、前記筒状の柱１０Ａ、１０Ｂは、この柱１０Ａ、１０Ｂの断面における四隅にそれぞれ配置された四角形断面の木質の角材１０ａと、前後左右に隣り合う前記角材１０ａ、１０ａ間に配置されて、これら角材１０ａ、１０ａどうしを連結する木質の構造用パネル１０ｂとを備えているため、鉄製の柱と比べて軽量な柱を提供することができる。また、前記角材１０ａの端面が前記構造用パネル１０ｂ端面より前記柱１０Ａ、１０Ｂの中央部側に位置し、前記角材１０ａの端面に前記第１柱接合部材３２が前記構造用パネル１０ｂの端面と面一にして取り付けられているため、前記柱梁接合部材３４の端面に前記筒状の柱１０Ａ、１０Ｂを容易に取付けることができ、前記第１柱接合部材３２、３２間で前記構造用パネル１０ｂの端部を挟んでいるため、前記第１柱接合部材３２、３２間の空間をなくし、前記柱梁接合部材３４との接合部の強度を向上することができる。
また、前記梁２０は、この梁２０の断面における四隅にそれぞれ配置された矩形断面の木質の角材２０ａと、上下左右に隣り合う前記角材２０ａ、２０ａ間に配置されて、これら角材２０ａどうしを連結する木質の構造用パネル２０ｂ、２０ｃとを備えた筒状に形成されているため、鉄製の柱と比べて軽量な梁を提供することができる。また、前記角材２０ａの端面が前記構造用パネル２０ｂ、２０ｃ端面より前記梁２０の中央部側に位置し、前記角材２０ａの端面に前記梁接合部材が前記構造用パネル２０ｂ、２０ｃの端面と面一にして取り付けられているため、前記柱梁接合部材３４の側面に前記筒状の梁２０を容易に取付けることができ、前記第１梁柱接合部材３３、３３間で前記構造用パネル２０ｂ、２０ｃの端部を挟んでいるため、前記第１梁柱接合部材３３、３３間の空間をなくし、前記柱梁接合部材３４との接合部の強度を向上することができる。
【００４７】
また、前記柱１０Ａ、１０Ｂの角材１０ａおよび前記梁２０の角材２０ａにその端面に開口する挿入穴が形成され、この挿入穴に接着剤が充填されたうえで前記第４柱連結ボルト４４、第２柱連結ボルト４２および前記第２梁連結ボルト５２が前記端面から突出させて挿入固定されてので、前記連結ボルト４４、４２、５２と前記柱１０Ａ、１０Ｂおよび前記梁２０が強固に固定され、前記柱１０Ａ、１０Ｂおよび前記梁２０と前記接合部材３２、３３、３４をボルトナット接合で強固に固定することができる。
【００４８】
また、前記柱１０Ａ、１０Ｂ角材および梁２０角材の、前記第１柱接合部材３２および前記第２柱接合部材３４及び前記梁接合部材に接合されるそれぞれの端部に、金属製の補強キャップ１１、２１が被されているので、ボルトナット接合で強く締め付けた際に、前記第１柱接合部材３２および前記第２柱接合部材３４の端部と接合する前記柱１０Ａ、１０Ｂおよび前記梁接合部材３３の端部と接合する梁２０の端部が幅方向に広がるのを防止して、柱と第１柱接合部材３２および前記第２柱接合部材３４を強固に接合することができる。
【００４９】
なお、上記実施の形態では、建物１００の中央部１０３の柱と梁の接合構造について説明したが、これに限られない。柱梁連結部材３１に挿入する第１梁連結ボルト５１の数を調整することで、入隅部分、出隅部分、凹凸のない壁部分等の柱と梁の接合構造に適用可能である。また、梁２０の構造用パネル２０ｃを設けない梁を使用してもよい。
なお、変形例においては、上記実施の形態と同じ部材には同一の符号を付し、説明を省略する。
【００５０】
＜第２の実施の形態＞
本実施の形態の柱と梁の接合部構造は、例えば、図５〜図８に示すように、建物２００の下階の柱１０Ａと上階の柱１０Ｂと梁２０を仕口部材３０によって接合してなる下階の柱１０Ａと上階の柱１０Ｂと梁２０の接合構造である。ここで、柱１０Ａと柱１０Ｂと梁２０とはそれぞれ筒状に形成され、各面の構造用パネル１０ｂ、２０ｂ、２０ｃは２枚の構造用パネル１０ｂ、２０ｂ、２０ｃが接着剤等で接合されている。また、接合された２枚の構造用パネルの幅が角材１０ａ、２０ａの幅と等しい。
【００５１】
建物２００は、３階建ての建物であり、主として、１階は駐車場、２階は会議室等、３階は事務所である。この建物２００において、図１２に示すように、正面の幅（ｘ軸方向）が３０ｍ程度であり、図１３に示すように、奥行き（ｙ軸方向）が３３ｍ程の大規模な建物を想定している。また、この建物２００において、柱と梁との組み合わせは、１本の柱に対して２本の梁が接合される出隅部２０１と、２本の柱に対して６本の梁が接合される壁面部２０２と、２本の柱に対して８本の梁が接合される中央部２０３とがある。図５〜図７に示す図は、中央部２０３の柱と梁の接続構造を示す図である。第１の実施の形態と異なる点は、建物１００より大規模な建物であり、建物２００の正面視（ｙ軸方向）において、左右中央の2箇所に2本の柱とで構成された大型の柱が左右に離間して配置され、この大型の柱のｘ軸方向に延設する梁が1本、ｙ軸方向に延設する梁が2本接合されている点である。なお、本実施の形態においては、1本の柱１０Aに仕口部材３０を介して複数の梁２０を接合してなる接合構造は第１の実施の形態と同様であるので、第１の実施の形態と同じ部材には同一の符号を付し、説明を省略する。
【００５２】
図９は、建物２００の１階の平面図である。１階において、建物２００の奥に駐輪場２１０と、非常階段２１４ａが設けられ、建物２００の左右に車両走行用スペース２１１ａと駐車場２１１ｂが設けられ、建物２００の中央部にエレベーター２１２ａと階段２１３ａが設けられている。
【００５３】
図１０は、建物２００の２階の平面図である。２階において、建物の手前には複数のブース（ＢＯＯＴＨ）２２０ａ〜２２０ｈが設けられている。ブースから奥方向に向かって、ＫＩＳｓ２２１、風除室２２２、来客用喫煙所２２３、来客用トイレ２２４、給湯室２２５、エレベーター２１２ｂ、階段２１３ｂ、応接室２２８ａ〜２２８ｃが設けられている。また、建物２００の奥に左から大会議室２２９、更衣室２３０、給湯室２３１、倉庫２３２、非常階段２１４ｂ、事務所２３３が設けられている。
【００５４】
図１１は、建物２００の３階の平面図である。３階において、建物の手前には事務所２４０が設けられている。建物２００の中央に向かって、倉庫２４１、エレベーター２１２ｃ、階段２１３ｃが設けられている。また、階段２１３ｃの左奥には、コンピュータ室（ＰＣ  ＳＥＲＶＥＲ）２４４、役員室２４５、代表室２４６、役員会議室２４７、書類倉庫２４８、応接室２４９が設けられている。応接室２４９の隣には、休憩室２５０、喫煙室２５１、会議室２５２ａ、２５２ｂが順に設けられている。また、休憩室２５０の外側に階段２１４ｃが設けられている。
【００５５】
仕口部材３０は、図５〜図７に示すように、前記下階の２本の柱１０Ａと上階の２本の柱１０Ｂと２本の梁２０の延長上の交差部に配置された直方体状の２つの柱梁接合部材３１、３１と、この２つの柱梁接合部材３１、３１の各々の下端面の各隅部に接合されるボックス状の複数の第１柱接合部材３２と、２つの柱梁接合部材３１、３１の各々の上端面の各隅部に接合されるボックス状の第２柱接合部材３４と、前記２つの柱梁接合部材３１の各々の少なくとも２つの側面の各隅部に接合されるボックス状の複数の梁接合部材３３とを備える。直方体状の柱梁接合部材３１は、各面の中央部が開口された空洞を有し、軽量化が図られている。柱梁接合部材３１の端面は筒状の柱１０Ａの端面と接合し、柱梁接合部材３１の側面は筒状の梁２０の各側面と接合するように形成されている。そして、直方体状の柱梁接合部材３１の各端面および各側面の隅部には、それぞれ４本の連結ボルトが設けられている。柱梁接合部材３１に、第１柱接合部材３２、第２柱接合部材３４、梁接合部材３３の各々は、それぞれ４本の連結ボルトでボルトナット接合されている。
ここで、隣り合う２つの柱梁接合部材は、溶接、プレートによる接続等で接合されている。また、隣り合う柱１０Ａ、１０Ａは接着剤、ビス止め等で接合されている。
【００５６】
前記柱梁接合部材３１と前記第１柱接合部材３２とは、この柱梁接合部材３１の下端面に鉛直に固定された第１柱連結ボルト４１を前記第１柱接合部材３２の上端面のボルト挿通孔に挿通し、ナットを螺合して締め付けることによって、ボルトナット接合されている。この第１柱接合部材３２と前記柱１０Ａとは、この柱１０Ａの上端面に鉛直に固定された第２柱連結ボルト４２を前記第１柱接合部材３２の下端面のボルト挿通孔に挿通し、ナットを螺合して締め付けることによってボルトナット接合されている。隣り合う柱１０Ａ、１０Ａの中央の２つの第１柱接合部材３２、３２は、ボルトナット接合するために、それらの開口か柱１０Ａ、１０Ａの外側を向いている。また、隣り合う柱１０Ｂ、１０Ｂの中央の２つの第２柱接合部材３４、３４は、ボルトナット接合するために、それらの開口か柱１０Ｂ、１０Ｂの外側を向いている。
【００５７】
前記柱梁接合部材３１と前記梁接合部材３３とは、前記柱梁接合部材３１の側面に水平に固定された第１梁連結ボルト５１を前記梁接合部材３３の一方の側面のボルト挿通孔に挿通し、ナットを螺合して締め付けることによってボルトナット接合されている。この梁接合部材３３と前記梁２０とは、この梁２０の端面に水平に固定された第２梁連結ボルト５２を前記梁接合部材３３の他方の側面のボルト挿通孔に挿通し、ナットを螺合して締め付けることによってボルトナット接合されている。隣り合う梁２０、２０の中央の２つの梁接合部材３３、３３は、ボルトナット接合するために、それらの開口か梁２０、２０の外側を向いている。
また、隣り合う梁２０、２０は接着剤、ビス止め等で接合されている。
【００５８】
本実施の形態によれば、前記柱梁接合部材３１と前記第１柱接合部材３２とは、この柱梁接合部材３１の下端面の各隅部に鉛直に固定された第１柱連結ボルト４１を前記第１柱接合部材３２に挿入してボルトナット接合され、前記複数の第１柱接合部材３２と前記柱１０Ａとは、この柱１０Ａの上端面の各隅部に鉛直に固定された複数の第２柱連結ボルト４２を前記複数の第１柱接合部材３２のそれぞれに挿入してボルトナット接合されているため、前記柱１０Ａを、前記第１柱接合部材３２を介して前記柱梁接合部材３１と接合することができる。また、柱１０Ａ、１０Ｂと梁２０をそれぞれ２本接合することで、更に強度の高い建物を提供することができる。
【符号の説明】
【００５９】
１０Ａ、１０Ｂ       柱
１０ａ 角材
１０ｂ 構造用パネル
１１   補強キャップ
２０   梁
２０ａ 角材
２０ｂ、２０ｃ       構造用パネル
２１   補強キャップ
３０   仕口部材
３１   柱梁接合部材
３２   第１柱接合部材
３４   第２柱接合部材
３３   梁接合部材
４１   第１柱連結ボルト
４２   第２柱連結ボルト
４３   第３柱連結ボルト
４４   第４柱連結ボルト
５１   第１梁連結ボルト
５２   第２梁連結ボルト
６０   床パネル
【図１】
0005749588.tif 000002
【図２】
0005749588.tif 000003
【図３】
0005749588.tif 000004
【図４】
0005749588.tif 000005
【図５】
0005749588.tif 000006
【図６】
0005749588.tif 000007
【図７】
0005749588.tif 000008
【図８】
0005749588.tif 000009
【図９】
0005749588.tif 000010
【図１０】
0005749588.tif 000011
【図１１】
0005749588.tif 000012
【図１２】
0005749588.tif 000013
【図１３】
0005749588.tif 000014
【図１４】
0005749588.tif 000015